(57)【特許請求の範囲】
【請求項１】
ガス使用量が計量される計量単位体別の単位期間のガス使用量から厨房用のガス使用量を抽出するガス使用量の用途別分解方法において、計量単位体の厨房用ガス使用量を規定する、該計量単位体の属性情報を取得し、該属性情報に基づいて、計量単位体の単位期間の厨房用ガス使用量を抽出することを特徴とするガス使用量の用途別分解方法。
【請求項２】
ガス使用量が計量される計量単位体別の単位期間のガス使用量から厨房用及び給湯用のガス使用量を抽出するガス使用量の用途別分解方法において、計量単位体の厨房用ガス使用量を規定する、該計量単位体の属性情報を取得し、該属性情報に基づいて、計量単位体の単位期間の厨房用ガス使用量を抽出し、暖房を使用しない期間に含まれる単位期間のガス使用量から、該単位期間の厨房用ガス使用量を減算して該単位期間の給湯用ガス使用量を抽出し、暖房を使用しない期間に含まれる複数の単位期間の給湯用ガス使用量と該複数の単位期間の気温との相関関係、及び暖房を使用する期間に含まれる単位期間の気温に基づいて、暖房を使用する期間に含まれる単位期間の給湯用ガス使用量を抽出することを特徴とするガス使用量の用途別分解方法。
【請求項３】
暖房を使用する期間に含まれる単位期間のガス使用量から該単位期間の厨房用ガス使用量及び給湯用ガス使用量を減算して該単位期間の暖房用ガス使用量を抽出することを特徴とする請求項２記載のガス使用量の用途別分解方法。
【請求項４】
ガス使用量が計量される計量単位体別の単位期間のガス使用量から厨房用のガス使用量を抽出するガス使用量の用途別分解装置において、計量単位体の厨房用ガス使用量を規定する、該計量単位体の属性情報を取得する手段と、該属性情報に基づいて、計量単位体の単位期間の厨房用ガス使用量を抽出する手段とを備えたことを特徴とするガス使用量の用途別分解装置。
【請求項５】
ガス使用量が計量される計量単位体別の単位期間のガス使用量から厨房用及び給湯用のガス使用量を抽出するガス使用量の用途別分解装置において、計量単位体の厨房用ガス使用量を規定する、該計量単位体の属性情報を取得する手段と、該属性情報に基づいて、計量単位体の単位期間の厨房用ガス使用量を抽出する手段と、暖房を使用しない期間に含まれる単位期間のガス使用量から、該単位期間の厨房用ガス使用量を減算して該単位期間の給湯用ガス使用量を抽出する手段と、暖房を使用しない期間に含まれる複数の単位期間の給湯用ガス使用量と該複数の単位期間の気温との相関関係、及び暖房を使用する期間に含まれる単位期間の気温に基づいて、暖房を使用する期間に含まれる単位期間の給湯用ガス使用量を抽出する手段とを備えたことを特徴とするガス使用量の用途別分解装置。
【請求項６】
暖房を使用する期間に含まれる単位期間のガス使用量から該単位期間の厨房用ガス使用量及び給湯用ガス使用量を減算して該単位期間の暖房用ガス使用量を抽出する手段を備えたことを特徴とする請求項５記載のガス使用量の用途別分解装置。
【請求項７】
ガス使用量が計量される計量単位体別の単位期間のガス使用量から厨房用のガス使用量を抽出してガス使用量を用途別に分解するコンピュータプログラムが記録されており、コンピュータでの読み取りが可能な記録媒体において、計量単位体の厨房用ガス使用量を規定する、該計量単位体の属性情報の入力をコンピュータに受け付けさせるプログラムコード手段と、該属性情報に基づいて、計量単位体の単位期間の厨房用ガス使用量をコンピュータに抽出させるプログラムコード手段とを含むコンピュータプログラムが記録されていることを特徴とする記録媒体。
【請求項８】
ガス使用量が計量される計量単位体別の単位期間のガス使用量から厨房用及び給湯用のガス使用量を抽出してガス使用量を用途別に分解するコンピュータプログラムが記録されており、コンピュータでの読み取りが可能な記録媒体において、計量単位体の厨房用ガス使用量を規定する、該計量単位体の属性情報の入力をコンピュータに受け付けさせるプログラムコード手段と、該属性情報に基づいて、計量単位体の単位期間の厨房用ガス使用量をコンピュータに抽出させるプログラムコード手段と、暖房を使用しない期間に含まれる単位期間のガス使用量から、該単位期間の厨房用ガス使用量を減算して該単位期間の給湯用ガス使用量をコンピュータに抽出させるプログラムコード手段と、暖房を使用しない期間に含まれる複数の単位期間の給湯用ガス使用量と該複数の単位期間の気温との相関関係、及び暖房を使用する期間に含まれる単位期間の気温に基づいて、暖房を使用する期間に含まれる単位期間の給湯用ガス使用量をコンピュータに抽出させるプログラムコード手段とを含むコンピュータプログラムが記録されていることを特徴とする記録媒体。
【請求項９】
所定期間のガス使用量から該期間の厨房用ガス使用量及び給湯用ガス使用量を減算して該期間の暖房用ガス使用量をコンピュータに抽出させるプログラムコード手段をさらに含むことを特徴とする請求項８記載の記録媒体。
【発明の詳細な説明】
【０００１】
【発明の属する技術分野】
本発明は、例えば各世帯の月別のような単位期間別のガス使用量を、厨房用、給湯用及び暖房用の用途別に分解する方法、装置、及びガス使用量の用途別分解のコンピュータプログラムが記録されている記録媒体に関する。
【０００２】
【従来の技術】
ガスの供給計画、ガス器具の販売計画等を立てるためにガスの需要を予測する場合、またガス使用者が省エネを計画する場合には、ガス使用者の過去のガス使用量のトレンドを分析する必要がある。
一般的に、家庭、小規模事業所等でのガスの用途は、厨房用、給湯用、暖房用に大別される。厨房用のガス使用量は気象要因にほとんど影響を受けず、年間を通してほぼ一定である。給湯用のガス使用量は、季節によって変化する気温、水温等の気象要因によって影響を受ける。また暖房用のガス使用量は季節によってガス使用量がゼロになる。
【０００３】
このようにガス使用量は用途によって異なる変化のトレンドを示すので、前述のように過去のガス使用量のトレンドを分析する場合に総使用量のトレンドを解析するだけでは、高精度の需要予測は難しいといえる。
この不具合を解消するために、各時刻の総ガス使用量のデータを収集し、使用量の変化の有無と変化量とに基づいてガス器具の種類を特定し、ガス器具別、分野別（厨房・給湯・暖房）のガス使用量の経時変化をグラフ化する装置が提案されている（特開平７−９２００１号公報）。
【０００４】
【発明が解決しようとする課題】
しかし、上述の解析装置では、各時刻の総ガス使用量に関連する多量のデータを収集してガス使用量のトレンドを解析するので、解析アルゴリズムが複雑であり、またガス器具の台数が増加すると解析時間が長時間化する。
【０００５】
本発明はこのような問題点を解決するためになされたものであって、まず、世帯人数、厨房用ガス器具の所有台数、住居形態等のガス使用者の属性情報を用いて、気象要因の影響をほとんど受けずに一年を通してほとんど一定であるが、ガス使用者の世帯状況によってその使用量が異なる厨房用ガス使用量を精度良く求める。次に、暖房を使用しない時期の総ガス使用量が厨房用と給湯用との和であることを利用してこの時期の給湯用ガス使用量を求める。さらに暖房を使用しない時期の給湯用ガス使用量と気温との相関関係を利用して、暖房を使用する時期の給湯用ガス使用量を求める。総ガス使用量から厨房用及び給湯用ガス使用量を減算して暖房用ガス使用量を求める。これにより、比較的簡単なアルゴリズムで、ガス使用量を精度良く用途別に分解する方法、装置、及びガス使用量の用途別分解アルゴリズムのコンピュータプログラムが記録されている記録媒体の提供を目的とする。
【０００６】
【課題を解決するための手段】
第１発明のガス使用量の用途別分解方法は、ガス使用量が計量される計量単位体別の単位期間のガス使用量から厨房用のガス使用量を抽出するガス使用量の用途別分解方法において、計量単位体の厨房用ガス使用量を規定する、該計量単位体の属性情報を取得し、該属性情報に基づいて、計量単位体の単位期間の厨房用ガス使用量を抽出することを特徴とする。
【０００７】
第２発明のガス使用量の用途別分解方法は、ガス使用量が計量される計量単位体別の単位期間のガス使用量から厨房用及び給湯用のガス使用量を抽出するガス使用量の用途別分解方法において、計量単位体の厨房用ガス使用量を規定する、該計量単位体の属性情報を取得し、該属性情報に基づいて、計量単位体の単位期間の厨房用ガス使用量を抽出し、暖房を使用しない期間に含まれる単位期間のガス使用量から、該単位期間の厨房用ガス使用量を減算して該単位期間の給湯用ガス使用量を抽出し、暖房を使用しない期間に含まれる複数の単位期間の給湯用ガス使用量と該複数の単位期間の気温との相関関係、及び暖房を使用する期間に含まれる単位期間の気温に基づいて、暖房を使用する期間に含まれる単位期間の給湯用ガス使用量を抽出することを特徴とする。
【０００８】
第３発明のガス使用量の用途別分解方法は、第２発明に加えて、暖房を使用する期間に含まれる単位期間のガス使用量から該単位期間の厨房用ガス使用量及び給湯用ガス使用量を減算して該単位期間の暖房用ガス使用量を抽出することを特徴とする。
【０００９】
第４発明のガス使用量の用途別分解装置は、ガス使用量が計量される計量単位体別の単位期間のガス使用量から厨房用のガス使用量を抽出するガス使用量の用途別分解装置において、計量単位体の厨房用ガス使用量を規定する、該計量単位体の属性情報を取得する手段と、該属性情報に基づいて、計量単位体の単位期間の厨房用ガス使用量を抽出する手段とを備えたことを特徴とする。
【００１０】
第５発明のガス使用量の用途別分解装置は、ガス使用量が計量される計量単位体別の単位期間のガス使用量から厨房用及び給湯用のガス使用量を抽出するガス使用量の用途別分解装置において、計量単位体の厨房用ガス使用量を規定する、該計量単位体の属性情報を取得する手段と、該属性情報に基づいて、計量単位体の単位期間の厨房用ガス使用量を抽出する手段と、暖房を使用しない期間に含まれる単位期間のガス使用量から、該単位期間の厨房用ガス使用量を減算して該単位期間の給湯用ガス使用量を抽出する手段と、暖房を使用しない期間に含まれる複数の単位期間の給湯用ガス使用量と該複数の単位期間の気温との相関関係、及び暖房を使用する期間に含まれる単位期間の気温に基づいて、暖房を使用する期間に含まれる単位期間の給湯用ガス使用量を抽出する手段とを備えたことを特徴とする。
【００１１】
第６発明のガス使用量の用途別分解装置は、第５発明に加えて、暖房を使用する期間に含まれる単位期間のガス使用量から該単位期間の厨房用ガス使用量及び給湯用ガス使用量を減算して該単位期間の暖房用ガス使用量を抽出する手段を備えたことを特徴とする。
【００１２】
第７発明の記録媒体は、ガス使用量が計量される計量単位体別の単位期間のガス使用量から厨房用のガス使用量を抽出してガス使用量を用途別に分解するコンピュータプログラムが記録されており、コンピュータでの読み取りが可能な記録媒体において、計量単位体の厨房用ガス使用量を規定する、該計量単位体の属性情報の入力をコンピュータに受け付けさせるプログラムコード手段と、該属性情報に基づいて、計量単位体の単位期間の厨房用ガス使用量をコンピュータに抽出させるプログラムコード手段とを含むコンピュータプログラムが記録されていることを特徴とする。
【００１３】
第８発明の記録媒体は、ガス使用量が計量される計量単位体別の単位期間のガス使用量から厨房用及び給湯用のガス使用量を抽出してガス使用量を用途別に分解するコンピュータプログラムが記録されており、コンピュータでの読み取りが可能な記録媒体において、計量単位体の厨房用ガス使用量を規定する、該計量単位体の属性情報の入力をコンピュータに受け付けさせるプログラムコード手段と、該属性情報に基づいて、計量単位体の単位期間の厨房用ガス使用量をコンピュータに抽出させるプログラムコード手段と、暖房を使用しない期間に含まれる単位期間のガス使用量から、該単位期間の厨房用ガス使用量を減算して該単位期間の給湯用ガス使用量をコンピュータに抽出させるプログラムコード手段と、暖房を使用しない期間に含まれる複数の単位期間の給湯用ガス使用量と該複数の単位期間の気温との相関関係、及び暖房を使用する期間に含まれる単位期間の気温に基づいて、暖房を使用する期間に含まれる単位期間の給湯用ガス使用量をコンピュータに抽出させるプログラムコード手段とを含むコンピュータプログラムが記録されていることを特徴とする。
【００１４】
第９発明の記録媒体は、第８発明に加えて、所定期間のガス使用量から該期間の厨房用ガス使用量及び給湯用ガス使用量を減算して該期間の暖房用ガス使用量をコンピュータに抽出させるプログラムコード手段をさらに含むことを特徴とする。
【００１５】
本発明において、ガス使用量が計量される計量単位体とは、１台のガスメータで使用量が計量される家庭、小規模事業所等をいう。また単位期間とは、例えば検針、課金の単位期間である月のような期間を指すが、月に限るものではない。本発明では、まず、世帯人数、厨房用ガス器具の所有台数、住居形態等の、ガス使用者の属性情報を用いて、気象要因の影響をほとんど受けずに一年を通してほとんど一定であるが、ガス使用者の世帯状況によってその使用量が異なる厨房用ガス使用量を求める。このように、各世帯に固有の厨房用ガス使用量を決定付ける、世帯人数、厨房用ガス器具の所有台数、住居形態等の各ガス使用者に固有の属性を厨房用ガス使用量の抽出に反映するので、厨房用ガス使用量が精度良く求められる。
次に、暖房を使用しない時期の総ガス使用量が厨房用と給湯用との和であることを利用してこの時期の給湯用ガス使用量を求める。さらに、例えば暖房を使用しない時期の給湯用ガス使用量と気温との回帰直線を求め、この回帰直線の外挿によって暖房を使用しない時期の気温に対応する給湯用ガス使用量を求めるといったように、暖房を使用しない時期の給湯用ガス使用量と気温との相関関係を利用して暖房を使用する時期の給湯用ガス使用量を求める。さらに、総ガス使用量から厨房用及び給湯用ガス使用量を減算して暖房用ガス使用量を求める。
【００１６】
【発明の実施の形態】
図１乃至図３は本発明の原理を説明するグラフであって、図１は夏期（暖房を使用しない時期：本例では５月〜11月）の給湯用ガス使用量の抽出の原理を説明するグラフ、図２は夏期の給湯用ガス使用量と気温との回帰直線及び回帰直線による冬期（暖房を使用する時期：本例では12月〜４月）の給湯用ガス使用量の外挿のグラフ、図３は暖房用ガス使用量の抽出の原理を説明するグラフである。
【００１７】
なお、図１及び図３の横軸は検針月度、縦軸はガス使用量（ｍ3 ／月）を表し、図２の横軸は気温（℃）、縦軸は給湯用ガス使用量（ｍ3 ／日）を表している。
また、以下のアルゴリズムにおいて、ガス使用量は各月の検針値をそのまま使用しても、また検針値を各月の日数の比率に応じて分配して補正した各月の１日から月末までの値を使用してもよい。
【００１８】
まず、気象要因の影響をほとんど受けずに一年を通してほとんど一定であるが、ガス使用者の世帯状況によってその使用量が異なる厨房用ガス使用量（ｍ3 ／月）を、以下の式で算出する。
厨房用ガス使用量＝a1(m) ×世帯人数＋a2(m) ×住居形態＋a3(m) ×ガス炊飯器台数＋b(m)          …(1)
ただし、ｍは月度、a1(m), a2(m), a3(m) はｍ月の係数、ｂ(m) はｍ月の定数項である（表１参照）。また住居形態は、例えば戸建：１、集合住宅：０とする。
表１は、統計的に得られた、厨房用ガス使用量の月別の回帰係数（ｍ3 ／月）である。
【００１９】
【表１】
0003794854.tif 000002
【００２０】
次に、暖房を使用しない夏期のガス使用量が、給湯用と厨房用との和であることを利用して、上述のようにして算出した夏期の厨房用ガス使用量を総ガス使用量から減算し、夏期の給湯用ガス使用量を算出する（図１参照）。
図２において、●はガス使用者の夏期（５月〜11月）の各月の総ガス使用量をその日数で除算した１日平均のガス使用量（ｍ3 ／日）を、各月の平均気温に対応付けてプロットしたものである。図中、実線は夏期（７個）のガス使用量の回帰直線である。
【００２１】
さらに、給湯用ガス使用量と気温との相関関係は、暖房用ガス器具の使用／不使用にかかわらず実質的に同一の傾きの直線で近似されることが確認されているので、夏期７点の回帰直線の外挿によって、気温が低い冬期の各月の平均気温から各月の給湯用ガス使用量を算出する。
【００２２】
最後に、総ガス使用量から、上述のようにして求めた冬期の厨房用ガス使用量と給湯用ガス使用量とを減算し、冬期の暖房用ガス使用量を算出する（図３参照）。
【００２３】
次に、本発明のガス使用量用途別分解方法（以下、本発明方法という）のアルゴリズムを図４及び図５のフローチャートに基づいて説明する。以下に、フローチャートで使用している変数を定義する。
ｃ：世帯
ｍ：月度
ｕ：用途（chu:厨房、kyu:給湯、dan:暖房）
F(c,m,u): 世帯ｃがｍ月において用途ｕのガス器具を所有しているか否かを示すフラグ（０：非所有、１：所有）（このデータは、例えばガス使用者に対するアンケートによって予めガス使用者から得ている）
【００２４】
G(c,m,u): 世帯ｃのｍ月における用途ｕのガス使用量（ｍ3 ／月）
GA(c,m):世帯ｃのｍ月における総ガス使用量（ｍ3 ／月）
R(c,m,chu): 上述の式(1) による世帯ｃのｍ月における厨房用ガス使用量（ｍ3 ／月）
ND(m):ｍ月の日数（日／月）
T(m): ｍ月の平均気温（℃）
【００２５】
TA(c):世帯ｃの５≦ｍ≦11におけるy=[GA(c,m)-G(c,m,chu)]/ND(m)（７個のデータ）をx=T(m)で線型回帰した結果の回帰係数（ｍ3 ／月・℃）
TB(c):世帯ｃの５≦ｍ≦11におけるy=[GA(c,m)-G(c,m,chu)]/ND(m)（７個のデータ）をx=T(m)で線型回帰した結果の回帰定数項（ｍ3 ／月）
一般に、ｙをｘで線型回帰した結果の回帰係数Ａと定数項Ｂは下記のとおりである。
A=｛n*Σ(xy)-(Σx)Σy ｝/ ｛n*Σ(x2 )- (Σx)2 ｝
B=｛Σ(x2 ) Σy -(Σx)Σ(xy)｝/ ｛n*Σ(x2 )- (Σx)2 ｝
ただし、ｎはデータ個数
【００２６】
まず、以下のステップS1〜S7によって、世帯ｃのｍ月における厨房用ガス使用量を算出する。
F(c,m,chu)がゼロか否か、即ち、世帯ｃがｍ月において厨房用ガス器具を所有しているか否かをチェックする（ステップS1）。厨房用ガス器具を所有している場合は（ステップS1のｎ）、F(c,m,kyu)がゼロか否か、即ち、世帯ｃがｍ月において給湯用ガス器具を所有しているか否かをチェックする（ステップS2）。
【００２７】
給湯用ガス器具を所有している場合は（ステップS2のｎ）、以下の式から求めた値を厨房用ガス使用量G(c,m,chu)に設定する（ステップS3）。
G(c,m,chu)＝ min｛R(c,m,chu), GA(c,m) ｝
この式により、給湯用ガス使用量が負の値にならないようにする（S12 参照）。
【００２８】
ステップS2において、世帯ｃがｍ月において厨房用ガス器具は所有しているが、給湯用ガス器具を所有していない場合は（ステップS2のｙ）、F(c,m,dan)がゼロか否か、即ち暖房用ガス器具を所有しているか否かをチェックする（ステップS4）。
暖房用ガス器具を所有していない場合は（ステップS4のｙ）、世帯ｃのｍ月における総ガス使用量GA(c,m) を世帯ｃのｍ月における厨房用ガス使用量G(c,m,chu)として設定する（ステップS6）。
【００２９】
一方、暖房用ガス器具を所有している場合は（ステップS4のｎ）、ｍ月が５月から11月の間、即ち暖房を使用しない時期に含まれるか否かをチェックする（ステップS5）。ｍ月が12月から４月までの暖房使用時期に含まれる場合は（ステップS5のｎ）、以下の式から求めた値を厨房用ガス使用量G(c,m,chu)に設定する（ステップS3）。
G(c,m,chu)＝ min｛R(c,m,chu), GA(c,m) ｝
【００３０】
ｍ月が５月から11月に含まれる場合は（ステップS5のｙ）、世帯ｃのｍ月における総ガス使用量GA(c,m) を世帯ｃのｍ月における厨房用ガス使用量G(c,m,chu)として設定する（ステップS6）。
また、世帯ｃがｍ月において厨房用ガス器具を所有していない場合は（ステップS1のｙ）、世帯ｃのｍ月における厨房用ガス使用量G(c,m,chu)をゼロに設定する（ステップS7）。
【００３１】
次に、以下のステップS8〜S13 によって、世帯ｃのｍ月における給湯用ガス使用量を算出する。
F(c,m,kyu)がゼロか否か、即ち、世帯ｃがｍ月において給湯用ガス器具を所有しているか否かをチェックする（ステップS8）。給湯用ガス器具を所有している場合は（ステップS8のｎ）、F(c,m,dan)がゼロか否か、即ち、世帯ｃがｍ月において暖房用ガス器具を所有しているか否かをチェックする（ステップS9）。
【００３２】
世帯ｃがｍ月において給湯用ガス器具は所有しているが、暖房用ガス器具を所有していない場合は（ステップS9のｙ）、世帯ｃのｍ月における総ガス使用量GA(c,m) から前述のステップS1〜S7において求めた、世帯ｃのｍ月における厨房用ガス使用量G(c,m,chu)を差し引いた値を、世帯ｃのｍ月における給湯用ガス使用量G(c,m,kyu)として設定する（ステップS12 ）。
【００３３】
一方、暖房用ガス器具を所有している場合は（ステップS9のｎ）、ｍ月が５月から11月の間、即ち暖房を使用しない期間に含まれるか否かをチェックする（ステップS10 ）。ｍ月が12月から４月までの暖房使用期間に含まれる場合は（ステップS10 のｎ）、以下の式から求めた値を給湯用ガス使用量G(c,m,kyu)に設定する（ステップS11 ）。
G(c,m,kyu)＝min[｛-TA(c)*T(m)+TB(c) ｝*ND(m), GA(c,m)-G(c,m,chu)]
この式により、暖房用ガス使用量が負の値にならないようにする（S17 参照）。
【００３４】
ｍ月が５月から11月に含まれる場合は（ステップS10 のｙ）、世帯ｃのｍ月における総ガス使用量GA(c,m) から前述のステップS1〜S7において求めた、世帯ｃのｍ月における厨房用ガス使用量G(c,m,chu)を差し引いた値を、世帯ｃのｍ月における給湯用ガス使用量G(c,m,kyu)として設定する（ステップS12 ）。
また、世帯ｃがｍ月において給湯用ガス器具を所有していない場合は（ステップS8のｙ）、世帯ｃのｍ月における給湯用ガス使用量G(c,m,kyu)をゼロに設定する（ステップS13 ）。
【００３５】
さらに、以下のステップS14 〜S21 によって、世帯ｃのｍ月における暖房用ガス使用量を算出する。
世帯ｃのｍ月における総ガス使用量GA(c,m)=0 がゼロであるか否かをチェックする（ステップS14 ）。ゼロでない場合は（ステップS14 のｎ）、F(c,m,dan)がゼロか否か、即ち、世帯ｃがｍ月において暖房用ガス器具を所有しているか否かをチェックする（ステップS15 ）。
【００３６】
暖房用ガス器具を所有している場合は（ステップS15 のｎ）、ｍ月が５月から11月の間、即ち暖房を使用しない期間に含まれるか否かをチェックする（ステップS16 ）。ｍ月が12月から４月までの暖房使用期間に含まれる場合は（ステップS16 のｎ）、世帯ｃのｍ月における総ガス使用量から、前述のステップS1〜S7で求めた世帯ｃのｍ月における厨房用ガス使用量G(c,m,chu)と、ステップS8〜S13 で求めた世帯ｃのｍ月における給湯用ガス使用量G(c,m,kyu)とを減じた値を、世帯ｃのｍ月における暖房用ガス使用量G(c,m,dan)として設定する（ステップS17 ）。
【００３７】
一方、総ガス使用量GA(c,m) がゼロではなく、世帯ｃがｍ月において暖房用ガス器具を所有しているが、ｍ月が５月から12月までの暖房を使用しない期間に含まれる場合（ステップS16 のｙ）、又は総ガス使用量GA(c,m) がゼロではないが、世帯ｃがｍ月において厨房用ガス器具を所有していない場合は（ステップS15 のｙ）、F(c,m,chu)がゼロか否か、即ち、世帯ｃがｍ月において厨房用ガス器具を所有しているか否かをチェックする（ステップS18 ）。
【００３８】
世帯ｃがｍ月において厨房用ガス器具を所有している場合は（ステップS18 のｎ）、世帯ｃのｍ月における暖房用ガス使用量G(c,m,dan)をゼロに設定する（ステップS19 ）。
【００３９】
一方、世帯ｃがｍ月において厨房用ガス器具を所有していない場合は（ステップS18 のｙ）、F(c,m,kyu)がゼロか否か、即ち、世帯ｃがｍ月において給湯用ガス器具を所有しているか否かをチェックする（ステップS20 ）。給湯用ガス器具を所有している場合は（ステップS20 のｎ）、世帯ｃのｍ月における暖房用ガス使用量G(c,m,dan)をゼロに設定する（ステップS19 ）。
【００４０】
しかし、総ガス使用量GA(c,m) がゼロでないにもかかわらず（ステップS14 のｎ）、世帯ｃがｍ月において暖房用ガス器具、厨房用ガス器具、給湯用ガス器具のいずれも所有していない場合（S15 のｙ、S18 のｙ、S20 のｙ）、又は総ガス使用量GA(c,m) がゼロでなく（ステップS14 のｎ）、暖房用ガス器具は所有しているが（ステップS15 のｎ）、ｍ月が５月から12月までの暖房を使用しない期間に含まれており（ステップS16 のｙ）、しかも厨房用ガス器具、給湯用ガス器具のいずれも所有していない場合は（S18 のｙ、S20 のｙ）、分解不能と判定する（ステップS21 ）。
また総ガス使用量GA(c,m) がゼロの場合は（ステップS14 のｙ）、世帯ｃのｍ月における暖房用ガス使用量G(c,m,dan)をゼロに設定する（ステップS19 ）。
【００４１】
以上のような本発明方法によるガス使用量の用途別分解結果の月別の誤差率の期待値を表２に示す。
本発明方法による厨房用ガス使用量の推定値の年間の誤差率の期待値を求めると±42％であり、実用には充分な精度であるといえる。ここでいう誤差率はガス使用者毎に、以下のようにして求められるものである。
誤差率＝｜使用量の推定値−使用量の真の値｜／（使用量の真の値）
【００４２】
【表２】
0003794854.tif 000003
【００４３】
以上のようにしてガス使用量を厨房用、給湯用、暖房用の用途別に分解することにより、ガスの供給計画、ガス器具の販売計画等を立てるためのガスの需要予測の精度が向上する。
またガス使用者の過去の用途別のガス使用量のトレンドを把握することで、省エネ計画が立て易くなり、省エネの推進に役立つ。
【００４４】
以上のような本発明方法のアルゴリズムのコンピュータプログラムは、コンピュータにプレインストールして提供することも、またCD-ROM、MO等の可搬型記録媒体で提供することも可能である。さらに回線経由で提供することも可能である。
【００４５】
【発明の効果】
以上のように、本発明方法、装置及び記録媒体は、まず、世帯人数、厨房用ガス器具の所有台数、住居形態等のガス使用者の属性情報を用いて、気象要因の影響をほとんど受けずに一年を通してほとんど一定であるが、ガス使用者の世帯状況によってその使用量が異なる厨房用ガス使用量を精度良く求める。次に、暖房を使用しない時期の総ガス使用量が厨房用と給湯用との和であることを利用してこの時期の給湯用ガス使用量を求める。さらに暖房を使用しない時期の給湯用ガス使用量と気温との相関関係を利用して、暖房を使用する時期の給湯用ガス使用量を求める。総ガス使用量から厨房用及び給湯用ガス使用量を減算して暖房用ガス使用量を求める。従って、比較的簡単なアルゴリズムで、ガス使用量を精度良く用途別に分解するという優れた効果を奏する。
【図面の簡単な説明】
【図１】  本発明の原理（夏期の給湯用ガス使用量抽出）を説明するグラフである。
【図２】  本発明の原理（冬期の給湯用ガス使用量抽出）を説明するグラフである。
【図３】  本発明の原理（暖房用ガス使用量抽出）を説明するグラフである。
【図４】  本発明方法のアルゴリズムのフローチャートである。
【図５】  本発明方法のアルゴリズムのフローチャートである。
【図１】
0003794854.tif 000004
【図２】
0003794854.tif 000005
【図３】
0003794854.tif 000006
【図４】
0003794854.tif 000007
【図５】
0003794854.tif 000008